(57)【要約】【課題】  磁気テープと磁気ヘッドの接触状態を安定させ、良好なヘッドタッチを得ることのできる回転ドラム装置を提供すること。【解決手段】  磁気テープ２を案内する固定ドラム１と、前記固定ドラム１と同軸的に設けられた前記磁気テープ２が巻回される回転ドラム３と、前記磁気テープ２と摺動してデータの記録再生を行う磁気ヘッド４と、前記磁気ヘッド４を前記回転ドラム３に設けられた切り欠き部５内の所定位置に保持するヘッドベース９とを備えた回転ドラム装置であって、前記ヘッドベース９が、前記磁気ヘッド４の回転方向７側に隣接する前記切り欠き部５内の空間５ａに気流を送る気流制御面１２を有するようにする。【選択図】  図２
2008047161.tif 000002
【特許請求の範囲】
【請求項１】
磁気テープを案内する固定ドラムと、前記固定ドラムと同軸的に設けられた前記磁気テープが巻回される回転ドラムと、前記磁気テープと摺動してデータの記録再生を行う磁気ヘッドと、前記磁気ヘッドを前記回転ドラムに設けられた切り欠き部内の所定位置に保持するヘッドベースとを備えた回転ドラム装置であって、前記ヘッドベースが、前記磁気ヘッドの回転方向側に隣接する前記切り欠き部内の空間に気流を送る気流制御面を有していることを特徴とする回転ドラム装置。
【請求項２】
前記気流制御面が、前記ヘッドベースの回転方向と垂直な面で、かつ、前記ヘッドベースの先端にいくにつれて前記磁気ヘッドに近づくように前記ヘッドベースの前記回転方向側に形成された面である請求項１記載の回転ドラム装置。
【請求項３】
前記気流制御面が、前記ヘッドベースの前記回転方向側を斜めにカットしたものである請求項２記載の回転ドラム装置。
【請求項４】
前記気流制御面が、前記ヘッドベースに別部材を取り付けて形成したものである請求項２記載の回転ドラム装置。
【発明の詳細な説明】
【技術分野】
【０００１】
本発明は、ＶＴＲ等の、磁気テープに画像や音声などのデータを記録再生する磁気ヘッドが搭載された回転ドラム装置に関するものである。
【背景技術】
【０００２】
近年の小型ビデオカメラなどに使用される回転ドラム装置は、磁気テープを走行案内する固定ドラムと、固定ドラムに対し同軸的に設けられその周囲に磁気テープが巻回される回転ドラムとから構成されていて、回転ドラムに設けられた磁気ヘッドによって磁気テープにデータを記録し、または磁気テープに記録されているデータを再生する。
【０００３】
ここで、磁気ヘッドは、回転ドラムの下端部で固定ドラムとの境界部近傍に設けられた切り欠き部の中に設けられ、磁気ヘッドの先端部が回転ドラムの側面部よりも所定寸法だけ突き出た状態になるように保持されている。そして、回転ドラムに巻回された磁気テープに対し、磁気ヘッドの先端部が押しつけられながらその表面を高速で摺動し、トラックと呼ばれる記録層を形成しながらデータの記録と再生を行っている。
【０００４】
図７は、従来の回転ドラム装置の磁気ヘッド部分を拡大して示したものである。なお、この図７は、回転ドラム３の底面を固定ドラム側から見た図となっている。図７において、磁気ヘッド４は、ヘッドベース９の先端部に取り付けられていて、このヘッドベース９が回転ドラム３の底面に固着されることにより、回転ドラム３底面に形成された切り欠き部５内の所定の位置に保持されている。そして、磁気ヘッド４の先端部は回転ドラム３の側面部よりも所定寸法だけ外側に突きだしており、回転ドラム３の外周に巻回された磁気テープ２に押しつけられるようになっている。このようにして、磁気ヘッド４と磁気テープ２とを密着させた状態で摺動し、磁気ヘッド４の先端部分に設けられた図示しない磁気ギャップに発生する磁気によって、テープに形成されるトラックに所定のデータを記録し、また、これを再生している。なお、図中の矢印７は、回転ドラム３の回転方向を示す。
【特許文献１】特開平７−８５４３５号公報
【特許文献２】特開２００４−２７３０５８号公報
【発明の開示】
【発明が解決しようとする課題】
【０００５】
しかしながら、上記のような従来の回転ドラム装置では、磁気ヘッド４と磁気テープとの摺動が不安定になってデータの正確な記録再生に支障が出るという問題点があることがわかった。
【０００６】
回転ドラム装置では、磁気テープ２と回転ドラム３との摺動を正確に行うために、磁気テープ２はローデング機構によりカセットから引き出され、回転ドラム３の周囲に１８０度以上の見込み角で巻回されて、回転ドラム３にしっかりと押さえつけられている。しかしながら、磁気テープ２と回転ドラム３は、例えばデジタルビデオカメラに用いられるＤＶテープ方式の仕様では、テープの走行速度は１２．８〜１２．６ｍ／秒、回転ドラムの回転数は９０００ｒ．ｐ．ｍに達しており、このような磁気テープと回転ドラム３との高速摺動によって、回転ドラム３の側面と磁気テープ２との間に空気の層が生じ、磁気テープ２を浮上させようとする力が働く。
【０００７】
さらに、回転ドラム３の側面から磁気ヘッド４の先端部分が突出していることから、回転ドラム３の高速回転により、この磁気ヘッド４の周囲での空気の流れが発生する。図７に示す回転ドラム装置の場合、回転ドラム３の回転方向が図中の矢印７として示す方向であるので、磁気ヘッド４の回転方向７側に隣接する切り欠き部５内の空間５ａでは、切り欠き部５内に入り込む空気の流れが図中１０の矢印で示すように比較的強くなる。一方、磁気ヘッド４の回転方向７とは反対側に隣接する切り欠き部５内の空間５ｂでは、図中１１の矢印で示すように空気の流れは比較的弱くなる。この回転ドラム装置の外部から回転ドラム装置内に流れ込む空気の流れの強さの違いにより、磁気ヘッド４に隣接する両側の空間５ａ、５ｂで、磁気テープ２を切り欠き部５内方向に押しつけようとする力に差が生じることとなる。この結果、図７に示したとおり、磁気ヘッド４の回転方向側とその反対側とで、切り欠き部５内に入り込む磁気テープ２の形状が異なることがわかった。
【０００８】
前述の、回転ドラム３の側面と磁気テープ２との間に空気の層が生じることによって生じる磁気テープ２を浮上させる力に対しては、回転ドラム３の側面に所定の間隔で溝を設けるという対応策が施されているが、この溝によっては、磁気ヘッド４の両側で切り欠き部５へのテープの入り込み量が異なるという課題を解決することはできない。このため、磁気ヘッド４と磁気テープ２の接触状態が不安定となり、良好なヘッドタッチが得られなくなるのである。
【０００９】
また、磁気ヘッド４の回転方向側に隣接する切り欠き部５内の空間５ａで、磁気テープ２がより深く切り欠き部５内に引き込まれるいわゆる「片当たり状態」となり、磁気テープ２と磁気ヘッド４とが摺動を開始する際、磁気テープ２が磁気ヘッド４に叩きつけられるようになって叩き音が発生したり、磁気テープ２にダメージを与えたりするという課題も生じている。
【００１０】
本発明は、上記従来の課題を解決するもので、磁気テープと磁気ヘッドの接触状態を安定させ、良好なヘッドタッチを得ることのできる回転ドラム装置を提供することを目的とする。
【課題を解決するための手段】
【００１１】
前記の目的を達成するために、本発明の回転ドラム装置は、磁気テープを案内する固定ドラムと、前記固定ドラムと同軸的に設けられた前記磁気テープが巻回される回転ドラムと、前記磁気テープと摺動して磁気記録および再生を行う磁気ヘッドと、前記磁気ヘッドを前記回転ドラムに設けられた切り欠き部内の所定位置に保持するヘッドベースとを備えた回転ドラム装置であって、前記ヘッドベースが、前記磁気ヘッドの回転方向側に隣接する前記切り欠き部内の空間に気流を送る気流制御面を有していることを特徴とする。
【発明の効果】
【００１２】
本発明の回転ドラム装置は、気流制御面によって磁気ヘッドの回転方向側に隣接する切り欠き部内の空間に気流を送ることで、磁気ヘッドの両側で磁気テープに働く力のアンバランスを解消することができる。そして、磁気ヘッドの回転方向側と反対側での磁気テープの切り欠き部への入り込み形状をバランスさせて、磁気テープと磁気ヘッドの接触状態を安定させ、良好なヘッドタッチを得ることができる。
【発明を実施するための最良の形態】
【００１３】
上記本発明の回転ドラム装置は、前記気流制御面が、前記ヘッドベースの回転方向と垂直な面で、かつ、前記ヘッドベースの先端にいくにつれて前記磁気ヘッドに近づくように前記ヘッドベースの前記回転方向側に形成された面であることが好ましい。また、前記気流制御面が、前記ヘッドベースの前記回転方向側を斜めにカットしたものであること、もしくは、前記気流制御面が、前記ヘッドベースに別部材を取り付けて形成したものであることが好ましい。このようにすることで、磁気ヘッドの回転方向側に隣接する切り欠き部内の空間に気流を送る気流制御面を、簡単に形成することができる。
【００１４】
以下、本発明に係る回転ドラム装置について、図面を参照して説明する。
【００１５】
（実施の形態１）
図１は、本発明の第１の実施形態に係る回転ドラム装置８の側面図である。図１に示すように、回転ドラム装置８は、ともに略円筒形状の固定ドラム１と回転ドラム３とが、同軸に形成されて構成されている。回転ドラム３の外周には、図示するように回転軸に対して斜めに磁気テープ２が巻回され、この磁気テープ２は図示しない駆動機構により走行する。固定ドラム１の上端部は回転ドラム３と同径であるが、固定ドラム１の側面には磁気テープ２の走行を案内するためにわずかに径大の段差部が形成され、この段差部（リード部）が磁気テープ２の下端部に当接して磁気テープ２の上下方向の位置規制を行う。なお、固定ドラム１および回転ドラム３は、ともに金属、例えばアルミダイキャスト製である。また、磁気テープ２としては、デジタルビデオカメラに一般に利用されているＤＶテープであれば、テープ幅６．３５ｍｍのメタル蒸着テープが用いられる。
【００１６】
回転ドラム３の外周側面には、高速回転する回転ドラム３と磁気テープ２との間に空気層が形成され、磁気テープ２が浮上してしまうのを防止するための複数の溝６が回転方向と平行に形成されている。また、回転ドラム３の固定ドラム１と接する下端部近傍には、内部に磁気ヘッド４を内蔵する切り欠き部５が形成されており側面図にはその開口部分が現れている。この切り欠き部５は、１つ以上、通常は２つもしくは４つの磁気ヘッド４の配置数と同数設けられ、また、切り欠き部５の大きさは、磁気ヘッド４を内在可能とするとともに、磁気ヘッド４と回転ドラム３との間に所定の空間を有するような大きさの隙間を確保できるものであることが必要である。なお、本実施の形態では、回転ドラム３は図中に矢印７で示す方向に回転する。
【００１７】
図２は、回転ドラム３の切り欠き部５近傍を拡大して底面側から見た図である。また、図３は、同じ部分を回転ドラム３の側面から見た図である。なお、図面を簡素化するため、図３では磁気テープ２は図示していない。
【００１８】
ヘッドベース９はその先端部分に磁気ヘッド４を搭載し、磁気ヘッド４が回転ドラム３の底面部に設けられた切り欠き部５の所定の位置に保持されるようにして、回転ドラム３の底面に固着されている。より具体的に説明すると、磁気ヘッド４は、ヘッドベース９の先端部の上面側（図２は底面側から見ているので反対側となる）に、ヘッドベース９から突き出されるようにその根本部分がヘッドベース９に固着されている。そして、この磁気ヘッド４が回転ドラム３に形成された開口部５の中央部分にちょうどはまりこみ、かつ、その先端部が回転ドラム３の側面から所定寸法外側に突き出すように、ヘッドベース９は、回転ドラム３の底面に正確に位置決めされた上で図示しない固定ねじ等で固着されている。
【００１９】
磁気テープ２は、図示しないローディングポストなどのテープローディング手段を用いて、テープカセット内から引き出され、回転ドラム３に対して接触部分の見込角１８０度以上で押圧されて巻回される。このため、磁気ヘッド４の当接部分で外側に押し出されている反動として、図２に示すように、磁気ヘッド４両側では切り欠き部５に少し入り込む形となっている。このようにすることで、磁気ヘッド４を所定の力で常に磁気テープ２に密着させることができ、磁気ヘッド４と磁気テープ２との位置合わせを正確に行うことができる。
【００２０】
別途設けられた、図示しないモータなどの駆動手段によって回転ドラム３が矢印７方向へ高速で回転するとともに、磁気テープ２が図示しないキャプスタンやリール台駆動手段などのテープ走行手段によって正方向へ走行駆動されることにより、磁気テープ２と磁気ヘッド４が摺動する。磁気ヘッド４は、いわゆるヘリカルスキャン方式と呼ばれる方式で、テープの長さ方向に対して所定角度傾いた状態で磁気テープ２と接触し、かつ、回転ドラム３に通常複数個設けられた磁気ヘッド４が順次スキャンすることで、磁気ヘッド４に録画再生装置の信号処理回路等から供給される映像及び音声等のデータが、磁気テープ２の記録面に斜めトラックとして記録される。また、記録済みの磁気テープ２であれば、上述と同じ動作で映像及び音声等の記録データを再生することができる。
【００２１】
本発明に係るヘッドベース９の特徴は、その回転方向（図２および図３の場合は右）側に、気流制御面１２を有していることである。そして、本実施形態に係る気流制御面１２は、ヘッドベース９自体を斜め方向にカットしてその側面を用いて形成されている。
【００２２】
以下、このような、気流制御面１２を設けることの作用効果を説明する。一般に、回転ドラム３を円滑に回転させるためのベアリング装置などを収納するために、図示していないが、固定ドラム１の内部には一定の内部空間が必要である。また、図３からもわかるとおり、ヘッドベース９は回転ドラム３の底面に取り付けられているため、ヘッドベース９は、固定ドラム１内に入り込んだ形となっている。このように、固定ドラム２内にはみ出した部分がある、回転ドラム３の回転を妨げることがないように、固定ドラム１の回転ドラム３側の部分、すなわち、回転ドラム３との境界部分にも内部空間を設ける必要がある。結果として、固定ドラム１の上部、すなわち回転ドラム３に面した側の近傍は、回転ドラム３と同径の比較的板厚の薄い中空の筒体状となっていて、その内部に空間を有している。このため、ヘッドベース９に、図２に示すような気流制御面１２を設けることで、回転ドラム３が高速に回転することによって、上記の固定ドラム１の内部空間内に存在する空気がかき回され、気流制御面１２に沿った空気の流れ１３が生じる。この、空気の流れ１３の一部が、回転ドラム３に設けられた切り欠き部５に入り込み、磁気ヘッド４の回転方向側の空間５ａに達する。
【００２３】
このヘッドベース９に形成された気流制御面１２によって生じた空気の流れ１３が、回転ドラム３が回転することによって生じていた外部から回転ドラム３の切り欠き部５に入り込む空気の流れ１０と打ち消しあう形となり、結果として生じる空気の流れ１４が、従来のものよりも小さくなり、磁気ヘッドの回転方向とは反対側の空気の流れ１１と釣り合うようになる。このため、磁気テープ２を磁気ヘッド４に押しつけようとする力が、磁気ヘッド４の両側でほぼ同じとなり、磁気テープ２の切り欠き部への入り込みが、磁気ヘッド４の両側でほぼ同じ状態となる。
【００２４】
この結果、磁気テープ２と磁気ヘッド４の接触状態が安定し、かつ、磁気ヘッド４のテープ入側と出側とでの接触状態をほぼ同じにすることができるので、良好なヘッドタッチを得ることができ、いわゆる「片当たり状態」とこれに伴う様々な弊害を解消することができる。
【００２５】
以上のように本実施形態によれば、磁気ヘッドと磁気テープの接触状態を安定させ良好なヘッドタッチが得られる回転ドラム装置を得ることができる。したがって、小型ビデオカメラに採用した場合には高画質、高音質等の高性能化に寄与できるという効果がある。
【００２６】
なお、気流制御面１２の角度や長さ、先端部分の磁気ヘッド４に対する相対的な位置などを適宜調整することにより、気流制御面１２によって生じる空気の流れ１３を調整して、磁気ヘッド４左右の磁気テープ２の入り込み量を調整することができる。
【００２７】
また、図４は、本実施形態に係る気流制御面１２の第２の例を示す図面であり、上記、図２に示した第１の形状と比較して、冷気流制御面１２がヘッドベース９の厚さ方向全体にわたって形成されておらず、ヘッドベース９の回転ドラム３固着側はヘッドベース９の当初の形状が残されている点が異なる。このようにすることで、回転ドラム３とヘッドベース９との固着が広く確保でき、ヘッドベース9の固着をより安定したものとできるので、回転ドラム３と磁気ヘッド４の位置決めをより正確かつ確実なものとできるというメリットがある。
【００２８】
（実施の形態２）
以下、本発明の回転ドラム装置の第２の実施形態を説明する。
【００２９】
図５は、第２の実施の形態に係る回転ドラム装置８の、回転ドラム３に設けられた切り欠き部５近傍を，回転ドラム３の底面側から見た部分拡大図である。また、図６はその切り欠き５部分を拡大して示した側面図である。これらは、上記第１の実施の形態を示す図２および図３に対応し、図６においては、図３と同様磁気テープ２の記載を省略している。
【００３０】
本実施の形態が、先に図２および図３で示した、本発明の回転ドラム装置８の第１の実施形態のものと比較して異なる点は、気流形成面１２を、ヘッドベース９とは別の部材１５で形成したことである。図に示すように、本実施形態では、ヘッドベース９の回転ドラム３の回転方向７側に、その側面に傾斜面を有する、全体形状が台形板状の別部材１５を固着し、この傾斜面を気流制御面１２とするものである。このように別部材１５に気流制御面１２を設けた場合でも、気流制御面によって形成された空気の流れ１３が、回転ドラム３の底面部に形成された切り欠き部５に到達し、磁気ヘッド４の回転方向側に隣接する空間５ａでの空気の流れ１４を、回転方向７と反対側の空間５ｂにおける空気の流れ１１とバランスのとれたものとすることができる。このため、上記第１の実施形態と同様の、磁気テープ２に対するヘッドタッチを良好にする効果や、いわゆる「片当たり状態」による弊害を解消することができる。
【００３１】
本実施の形態の場合は、気流制御面１２をヘッドベース９に付加した別部材１５で形成するため、その角度や位置、長さ、幅等について、ヘッドベース９に関係なく適切な気流制御面１２を得ることができるという利点がある。また、気流制御面１２を形成するための別部材１５について、特にその効果を考える上で材質についての制約はない。
【００３２】
以上、本発明に係る回転ドラム装置８について、図面を用いて具体的に説明してきたが、本発明がこれらの具体的な形態に限定されないことは言うまでもない。例えば、上記した各実施形態では、いずれもヘッドベースの回転方向側（図中右側）に、ヘッドベース９の根本側から先端部に向かって、すなわち、回転中心側から磁気ヘッド４に向かって、磁気ヘッド４側へ近づくような、そしてその断面が直線となる平面状の気流制御面１２を示したが、本発明はこれに限られるものではなく、結果として、磁気ヘッド４の回転方向７側に隣接する空間５ａにおいて、切り欠き部５から回転ドラム３の外側に向かった方向の空気の流れを作ることができるものであれば、本発明の効果を同様に奏することは容易に理解できる。また、気流制御面が、ヘッドベースの回転方向に垂直な平面だけに限られず、曲面や、部分ごとにその形状が連続的に変化するような面であってもよいことも明らかである。
【００３３】
また、本実施の形態では、１つの固定ドラム１と１つの回転ドラム３とを同軸に配した構成としているが、２つの固定ドラムの間に１つの回転ドラムを配した回転ドラム装置（上から、固定ドラム−回転ドラム−固定ドラムの順に同軸配置）であっても構わない。
【産業上の利用可能性】
【００３４】
本発明にかかる回転ドラム装置は、小型ビデオカメラなどに有用であり、磁気ヘッドと磁気テープの接触状態を安定させて良好なヘッドタッチが得られる。したがって記録データ、すなわち、画質、音声データの高性能化に適した回転ドラム装置を得ることができる。
【図面の簡単な説明】
【００３５】
【図１】本発明の実施の形態に係る回転ドラム装置の側面図
【図２】本発明の第１の実施の形態に係る回転ドラム装置の切り欠き部近傍拡大平面図
【図３】本発明の第１の実施の形態に係る回転ドラム装置の切り欠き部近傍拡大側面図
【図４】本発明の第１の実施の形態に係る回転ドラム装置の他の例を示す切り欠き部近傍拡大平面図
【図５】本発明の第２の実施の形態に係る回転ドラム装置の切り欠き部近傍拡大平面図
【図６】本発明の第２の実施の形態に係る回転ドラム装置の切り欠き部近傍拡大側面図
【図７】従来の回転ドラム装置の切り欠き部近傍を示す拡大平面図
【符号の説明】
【００３６】
１  固定ドラム
２  磁気テープ
３  回転ドラム
４  磁気ヘッド
５  切り欠き部
６  溝
７  回転方向
８  回転ドラム装置
９  ヘッドベース
１０、１１、１３、１４  空気の流れ
１２  気流制御面
１５  別部材
【図１】
2008047161.tif 000003
【図２】
2008047161.tif 000004
【図３】
2008047161.tif 000005
【図４】
2008047161.tif 000006
【図５】
2008047161.tif 000007
【図６】
2008047161.tif 000008
【図７】
2008047161.tif 000009